(57)【要約】【課題】既設の洗浄便座に対しても簡単に実施することができて、残留塩素を少なくすることのできる塩素除去器を、簡単な構成によって提供すること。【解決手段】水道管に接続される上流側本体１１と、この上流側本体１１内に収納されて、水道水を前記カートリッジ２０の周囲及び内部に分流させる分流台１３と、上流側本体１１に連結されて、給水管に接続される下流側本体１２と、この下流側本体１２内に収納されるべく、支持部材２１により一体化されたカートリッジ２０とを備えたこと。【選択図】図３
2015129371.tif 000002
【特許請求の範囲】
【請求項１】
洗浄便座の貯水タンクに水道水を導入するための給水管と、前記水道水を供給する水道管との間に介装されて、前記水道水中の塩素を除去する塩素除去器であって、
前記水道管に接続される上流側本体と、この上流側本体内に収納されて、前記水道水を前記カートリッジの周囲及び内部に分流させる分流台と、前記上流側本体に連結されて、前記給水管に接続される下流側本体と、この下流側本体内に収納されるべく、支持部材により一体化されたカートリッジとを備えたことを特徴とする洗浄便座用の塩素除去器。
【請求項２】
前記分流台に主流路を設け、この主流路によって前記水道水を前記カートリッジの周囲に分流させるとともに、前記分流台に前記主流路に連通する副流路を設け、この副流路によって前記水道水を前記カートリッジ内に分流させるようにしたことを特徴とする請求項１に記載の洗浄便座用の塩素除去器。
【発明の詳細な説明】
【技術分野】
【０００１】
本発明は、塩素除去器に関するもので、特に洗浄水を噴射ノズルから噴射させるようにした洗浄便座に使用するのに適した塩素除去器に関するものである。
【背景技術】
【０００２】
水洗便器上に取り付けられて、噴射ノズルからの洗浄水によって洗浄が行えるようにした洗浄便座は、衛生的で身体に優しいものであることから、近年、殆どの便器に採用されているものである。そして、洗浄水は、水道によって供給されている水道水を使用する洗浄便座が殆どを占めている。
【０００３】
水道水は、一般的に「塩素」によって殺菌されているため、この塩素が使用時の水道水中に残留していることが多い。この残留塩素は、旅行等で使用しない場合の水洗便器及び洗浄便座において、その各貯留タンク内に貯められる水中に雑菌が増殖することを防止できるものである。
【０００４】
ところが、水洗便器及び洗浄便座の一般家庭における通常使用時では、残留塩素が存在したままの水道水が使用され、特に洗浄便座では、残留塩素がある水道水が直接人の肌に接触することになる。
【０００５】
残留塩素が水道水とともに直接人の肌に接触することは、洗浄部位に炎症を起こす原因となり得ることが、例えば、特許文献１にも報告されている。特に、痔疾患のある人では、傷口から体内に残留塩素が入り込む虞があることは、当然予想できる。
【先行技術文献】
【特許文献】
【０００６】
【特許文献１】特開２００１−２１４５０１号公報、要約、代表図
【発明の概要】
【発明が解決しようとする課題】
【０００７】
特許文献１には、「温水洗浄便座に取り付けた浄水器により濾過した水を、直接洗浄ノズルに供給することにより洗浄水の塩素濃度が低くて一般細菌の繁殖がなく、洗浄部位に炎症を起こす恐れの極めて小さい温水洗浄便座を提供する」を目的とした「浄水器付き温水洗浄便座」が提案されている。
【０００８】
この特許文献１の「浄水器付き温水洗浄便座」では、図４にも示すように、「温水ヒータから洗浄ノズルに至るまでの経路に浄水器を取り付けた」ものであるが、これにより、「洗浄水の塩素濃度が低くて一般細菌の繁殖がなく、洗浄部位に炎症を起こす恐れの極めて小さい温水洗浄便座を提供する」ことができるものと考えられる。
【０００９】
しかしながら、この特許文献１の「浄水器付き温水洗浄便座」のように、「温水ヒータから洗浄ノズルに至るまでの経路に浄水器を取り付け」ることは、少なくとも既設の洗浄便座に対しては簡単に実施できないだけでなく、洗浄便座自体の構造を複雑化することにもなると考えられる。
【００１０】
そこで、本発明者等は、既設の洗浄便座に対しても簡単に実施することができて、残留塩素を少なくすることのできる塩素除去器１０とするにはどうしたらよいか、について種々検討を重ねてきた結果、本発明を完成したのである。
【００１１】
すなわち、本発明の目的とするところは、既設の洗浄便座に対しても簡単に実施することができて、残留塩素を少なくすることのできる塩素除去器１０を、簡単な構成によって提供することにある。
【課題を解決するための手段】
【００１２】
以上の課題を解決するために、まず、請求項１に係る発明の採った手段は、後述する実施形態の説明中で使用する符号を付して説明すると、
「洗浄便座３０の貯水タンクに水道水を導入するための給水管３１と、前記水道水を供給する水道管３２との間に介装されて、前記水道水中の塩素を除去する塩素除去器１０であって、
水道管２２に接続される上流側本体１１と、この上流側本体１１内に収納されて、前記水道水を前記カートリッジ２０の周囲及び内部に分流させる分流台１３と、上流側本体１１に連結されて、給水管２１に接続される下流側本体１２と、この下流側本体１２内に収納されるべく、支持部材２１により一体化されたカートリッジ２０とを備えたことを特徴とする洗浄便座用の塩素除去器１０」
である。
【００１３】
この請求項１に係る塩素除去器１０は、図２の（ｂ）及び図３に示すように、水道管２２に接続される上流側本体１１と、この上流側本体１１に連結されて、給水管２１に接続される下流側本体１２とにより構成される容器中に、上流側本体１１内に収納されて、前記水道水を前記カートリッジ２０の周囲及び内部に分流させる分流台１３と、下流側本体１２内に収納されるべく、支持部材２１により一体化されたカートリッジ２０とを備えたものである。
【００１４】
この請求項１に係る塩素除去器１０は、脱塩素のためのカートリッジ２０と、このカートリッジ２０に対する分流を行う分流台１３とを内蔵したものであり、図２の（ａ）に示すように、非常にコンパクトなものとなっていて、図１に示すように、洗浄便座３０に対して外から容易に取り付けられるようになっているのである。
【００１５】
すなわち、この塩素除去器１０は、その上流側本体１１を水道管３２に連結し、下流側本体１２を洗浄便座３０の給水管３１に連結することによって、当該洗浄便座３０に簡単に設置することができるのである。また、この塩素除去器１０の上流側本体１１内には分流台１３が収納してあって、この分流台１３は、カートリッジ２０の周囲及び内部に前記水道水を分流させることになるから、水道水はこの分流台１３を介してカートリッジ２０の周囲を流れるものと内部を流れるものとに分流される。
【００１６】
この分流台１３が、これを介して水道水をカートリッジ２０の周囲を流れるものと内部を流れるものとに分流するということは、水道水の一部については、カートリッジ２０による塩素除去を行わず、塩素を残留させたまま洗浄便座３０の給水管３１に送り込むということである。これにより、給水管３１を介して洗浄便座３０の貯留タンク内に供給される水道水中の残留塩素は、通常の水道水に比して人体に悪影響を及ぼすことのない量に低減されるとともに、洗浄便座３０側の貯留タンク内での雑菌の増殖が防止できる程度に残ることになる。
【００１７】
以上のことは、カートリッジ２０の浄化部２０ａが次のいずれのタイプのものであっても、機能することになる。つまり、カートリッジ２０としては、その内部に供給された水道水を浄化部２０ａを通して外側に出すことによって機能するものと、外側に供給された水道水を浄化部２０ａを通して内部に送ることによって機能するものがあるが、本発明に係る塩素除去器１０では、上流側本体１１内に収納された分流台１３が、水道水を前記カートリッジ２０の周囲及び内部に分流させるから、カートリッジ２０がいずれのタイプのものであっても機能する。
【００１８】
従って、請求項１に係る塩素除去器１０は、既設の洗浄便座に対しても簡単に実施することができて、残留塩素を少なくすることのできるものとなっているのである。
【００１９】
また、上記課題を解決するために、請求項２に係る発明の取った手段は、上記請求項１に記載の洗浄便座用の塩素除去器１０について、
「分流台１３に主流路１３ａを設け、この主流路１３ａによって前記水道水をカートリッジ２０の周囲に分流させるとともに、分流台１３に主流路１３ａに連通する副流路１３ｂを設け、この副流路１３ｂによって前記水道水をカートリッジ２０内に分流させるようにしたこと」
である。
【００２０】
この請求項２の塩素除去器１０では、上流側本体１１内に収納された分流台１３が、水道水をカートリッジ２０の周囲及び内部に分流させるのに必要な具体的構造として、水道水をカートリッジ２０の周囲に分流させる主流路１３ａと、この主流路１３ａに連通し水道水をカートリッジ２０内に直接流す副流路１３ｂとを有したものとしたことである。
【００２１】
上述したように、カートリッジ２０としては、その内部に供給された水道水を浄化部２０ａを通して外側に出すことによって機能するものと、外側に供給された水道水を浄化部２０ａを通して内部に送ることによって機能するものがあるが、前者は後者に比して大量の水道水の塩素除去が行えるものである。一方、水道管３２から供給されてくる水道水中の雑菌は、供給されてくる前の塩素による消毒によってその殆どが死滅していて、洗浄便座３０側の貯留タンク内に貯められたときには空気中のものを除けば非常に少なくなっている。つまり、洗浄便座３０の貯留タンク内での雑菌の消毒は、少ない量の残留塩素で十分である。
【００２２】
この請求項２の塩素除去器１０では、主流路１３ａによって水道水の大部分をカートリッジ２０の周囲に分流させるとともに、副流路１３ｂによって水道水の残部をカートリッジ２０内に分流させるようにすることによって、人体に悪影響のある塩素の殆どを除去し、残りの少ない塩素によって洗浄便座３０の貯留タンク内での雑菌の増殖を防ぐのである。
【００２３】
従って、この請求項２に係る塩素除去器１０は、上記請求項１のそれと同様な機能を発揮する他、分流台１３に主流路１３ａと副流路１３ｂとを設けるという非常に簡単な構造によって、人体に悪影響のある塩素の殆どを除去し、残りの少ない塩素によって洗浄便座３０の貯留タンク内での雑菌の増殖を防ぐのである。
【発明の効果】
【００２４】
以上、説明した通り、本発明においては、
「洗浄便座３０の貯水タンクに水道水を導入するための給水管３１と、前記水道水を供給する水道管３２との間に介装されて、前記水道水中の塩素を除去する塩素除去器１０であって、
水道管２２に接続される上流側本体１１と、この上流側本体１１内に収納されて、前記水道水をカートリッジ２０の周囲及び内部に分流させる分流台１３と、上流側本体１１に連結されて、給水管２１に接続される下流側本体１２と、この下流側本体１２内に収納されるべく、支持部材２１により一体化されたカートリッジ２０とを備えたこと」
にその構成上の主たる特徴があり、これにより、既設の洗浄便座３０に対しても簡単に実施することができて、残留塩素を少なくすることのできる塩素除去器１０を、簡単な構成によって提供することができるのである。
【図面の簡単な説明】
【００２５】
【図１】本発明に係る塩素除去器１０を水道管３２と洗浄便座３０側の給水管３１との間に取り付けた状態を示す部分斜視図である。
【図２】同塩素除去器１０を拡大して示すもので、（ａ）は正面図、（ｂ）は縦断面図である。
【図３】同塩素除去器１０の各部品を分解して示した縦断面図である。
【図４】特許文献１の技術を示す経路図である。
【発明を実施するための形態】
【００２６】
次に、上記のように構成した各請求項に係る発明を、図面に示した実施の形態である塩素除去器１０について説明すると、図１には、この実施形態に係る塩素除去器１０を、水道管３２と、洗浄便座３０を構成している給水管３１との間に連結した状態が示してある。
【００２７】
この実施形態の塩素除去器１０は、図２及び図３に示したように、上流側本体１１と、この上流側本体１１内に収納された分流台１３と、上流側本体１１に連結されて、給水管２１に接続される下流側本体１２と、この下流側本体１２内に収納されたカートリッジ２０とを備えたものである。
【００２８】
上流側本体１１は、文字通り、流れる水道水の上流側に設置されることになるものであり、具体的には、図２の（ａ）及び（ｂ）に示したように、洗浄便座３０が設置されている部屋内に引き込まれている水道管３２の圧力調整弁３３に接続されるものである。通常、水道管３２の室内側には圧力調整弁３３が取り付けられており、この圧力調整弁３３によって本管から送られてくる水道水の圧力を、部屋内で水機器を使用するのに適した圧力に調整される。
【００２９】
一方、上流側本体１１側には、図２に示したように、図示下端に水道管３２への取付部１１ａが形成してあり、この取付部１１ａを利用して当該上流側本体１１は水道管３２の圧力調整弁３３に接続される。また、この上流側本体１１内には分流台１３が液密的に収納してあるが、この上流側本体１１の図示上端には、後述する下流側本体１２が取り付けられる。
【００３０】
分流台１３は、図２の（ｂ）及び図３に示したように、水道管３２側に連通することになる軸流路の上端に形成した主流路１３ａと、この主流路１３ａに交流側にて連通する副流路１３ｂとを有したものであり、水道管３２から供給されてきた水道水を、図３中に示した主流４１と副流４２とに分流するものである。この主流４１は、図２の（ｂ）にも示したように、上流側本体１１及び下流側本体１２の内壁に沿いながらカートリッジ２０の外周に流れ込み、このカートリッジ２０を通過して内部の集合通路２２に流れる。一方、副流４２は、分流台１３の主流路１３ａを通過して副流路１３ｂ内に入り、ここからカートリッジ２０の集合通路２２に直接入るものである。この副流路１３ｂの断面積は、全主流路１３ａのそれよりも小さくしてあるから、当然副流４２の流量は主流４１の流量に比して少なくなっている。
【００３１】
上流側本体１１に連結される下流側本体１２は、図２の（ａ）に示したように、図示上端に設けたネジ部１２ａを有するものであり、このネジ部１２ａ内には、図３にも示したように、当該塩素除去器１０内で塩素除去がなされた水道水を洗浄便座３０の給水管３１側に送り込む出口１２ｂとなっている。換言すれば、この下流側本体１２のネジ部１２ａには、洗浄便座３０側に水道水を導入するための給水管３１が接続されるのである。
【００３２】
また、下流側本体１２内には塩素除去を行うカートリッジ２０が収納されるのであるが、このカートリッジ２０は、図２の（ｂ）及び図３に示したように、円筒状に形成した塩素除去物質からなる浄化部２０ａと、この浄化部２０ａの上下両端にそれぞれ嵌合した支持部材２１とを有し、内部に集合通路２２を有するものとして一体化したものである。塩素除去物質としては種々のものが適用できるが、本実施形態では、塩素除去物質として代表的な活性炭を採用している。
【００３３】
浄化部２０ａの上下を保護する各支持部材２１は、図３の中央にても示したように、浄化部２０ａ内の集合通路２２に連通する中心通路２１ａを有するものであり、各中心通路２１ａは、集合通路２２内に水道水を供給したり、集合通路２２内にて集合された水道水を洗浄便座３０の給水管３１側に給送したりするものである。また、各中心通路２１ａは、その一部（突出部分）にて、上流側本体１１内の分流台１３に挿し込まれたり、あるいは下流側本体１２の出口１２ｂ内に挿し込まれたりして、当該カートリッジ２０を塩素除去器１０内の所定位置に固定支持する役目も果たすものである。なお、各支持部材２１の突出部分にはパッキングが取り付けられ、このパッキングによって連結部における水漏れがないようになされる。
【００３４】
このカートリッジ２０は、その浄化部２０ａの劣化等によって交換しなければならないものであるが、当該カートリッジ２０を収納している下流側本体１２を給水管３１と水道管３２の圧力調整弁３３から外せば、交換作業を容易に行える。この交換作業は、カートリッジ２０が、支持部材２１を有するものであっても上下対称かつ円筒状であって方向性のないものであるから、容易に行える。また、カートリッジ２０の１つの支持部材２１の突出部分を下流側本体１２の出口１２ｂ内に指し込み、他の支持部材２１の突出部分を分流台１３に挿し込むことによって、このカートリッジ２０の塩素除去器１０内に対する位置決めも容易に行える。
【符号の説明】
【００３５】
１０    塩素除去器
１１    上流側本体
１１ａ  取付部
１２    下流側本体
１２ａ  ネジ部
１２ｂ  出口
１３    分流台
１３ａ  主流路
１３ｂ  副流路
２０    カートリッジ
２０ａ  浄化部
２１    支持部材
２１ａ  中心通路
２２    集合通路
３０    洗浄便座
３１    給水管
３２    水道管
３３    圧力調整弁
４１    主流
４２    副流
【図１】
2015129371.tif 000003
【図２】
2015129371.tif 000004
【図３】
2015129371.tif 000005
【図４】
2015129371.tif 000006